(57)【要約】【課題】別部材のストッパを設けることなく押し下げヘッドの上下動を規制することが可能な液体噴出器を提供する。【解決手段】本開示の液体噴出器１は、天壁１１から垂下する側壁１２を備え、容器体２の口部３に装着される装着筒４と、ステム７の上端に固定された押し下げヘッド９とを備え、押し下げヘッド９の押圧、復帰動作により内容液をノズル８より注出可能とした液体噴出器１であって、押し下げヘッド９は、押圧部から垂下する周壁６０を有し、周壁６０は上下方向に延びるガイドリブ６０ａを有し、装着筒４はガイド溝５０ａを有し、押し下げヘッド９を、装着筒４に対して所定の周方向位置に位置決めしたとき、ガイドリブ６０ａがガイド溝５０ａ内を案内されることによって、押し下げヘッド９は押し下げ可能であり、押し下げヘッド９が上方に所定距離持ち上げることで押し下げヘッド９を押し下げ不能な周方向位置へと回転移動可能になることを特徴とする。【選択図】図２
2020121802.tif 000002
【特許請求の範囲】
【請求項１】
中央に開口を有する天壁、及び該天壁から垂下する側壁を備え、容器体の口部に装着される装着筒と、
前記装着筒の天壁に形成された開口より上方付勢状態で上下移動可能に突出するステムと、
該ステムの上端に固定された押し下げヘッドと
を備え、
該押し下げヘッドの押圧、復帰動作により容器体の内容液を吸い上げて該押し下げヘッドに設けられたノズルより注出可能とした液体噴出器であって、
前記押し下げヘッドは、押圧部から下方に延びる周壁を有し、前記装着筒に対して中心軸線周りに回動可能であり、
前記周壁及び前記装着筒の一方は、上下方向に延びるガイドリブを有し、
前記周壁及び前記装着筒の他方は、上下方向に延びるガイド溝を有し、
前記押し下げヘッドを、前記装着筒に対して所定の周方向位置に位置決めしたとき、前記ガイドリブが前記ガイド溝内を案内されることによって、前記押し下げヘッドは押し下げ可能であり、
前記所定の周方向位置に位置決めされた前記押し下げヘッドを、上方に所定距離持ち上げることで前記ガイドリブが前記ガイド溝から開放され、前記押し下げヘッドが押し下げ不能な周方向位置へと回転移動可能になることを特徴とする液体噴出器。
【請求項２】
前記装着筒は、前記側壁を径方向外側から囲み、前記側壁の下端部に連結されたガイド筒を更に備え、前記ガイド溝又は前記ガイドリブは、前記ガイド筒に設けられている、請求項１に記載の液体噴出器。
【発明の詳細な説明】
【技術分野】
【０００１】
本開示は、押し下げヘッドの押し下げを規制するストッパ機能を備えた液体噴出器に関するものである。
【背景技術】
【０００２】
従来、液体噴出器として、例えば特許文献１に記載されるようなものが知られている。このような従来の液体噴出器は、容器体の口部外周に取り付けたベースキャップにより容器体内に下端を垂下させた状態でシリンダを固定し、ベースキャップ上端中央の開口より上方付勢状態で上下移動可能に突出させたステム上端部にノズル付き押し下げヘッドを設けた作動部材を備え、該作動部材の上下移動により容器体内の液を吸い上げてノズルより噴出する如く構成してなる。
【先行技術文献】
【特許文献】
【０００３】
【特許文献１】特開２００４−２６２５０２号公報
【発明の概要】
【発明が解決しようとする課題】
【０００４】
上記のような液体噴出器では、未使用時に誤って押し下げヘッドを押し下げて内容物が噴出されないように、押し下げヘッドとベースキャップとの間に別部材であるストッパを挟んで押し下げヘッドの下降を規制し、利用者が意図しない内容物の噴出を抑制している。しかし、利用者が内容物を使用する際にストッパを取り外して保管しておかなければならず、取り扱いの点で改善の余地があった。
【０００５】
本開示は、上記問題を解決することを課題とし、別部材のストッパを設けることなく押し下げヘッドの上下動を規制することが可能な液体噴出器を提供することを目的とする。
【課題を解決するための手段】
【０００６】
本開示は、上記課題を解決するためになされたものであり、本開示の液体噴出器は、
中央に開口を有する天壁、及び該天壁から垂下する側壁を備え、容器体の口部に装着される装着筒と、
前記装着筒の天壁に形成された開口より上方付勢状態で上下移動可能に突出するステムと、
該ステムの上端に固定された押し下げヘッドと
を備え、
該押し下げヘッドの押圧、復帰動作により容器体の内容液を吸い上げて該押し下げヘッドに設けられたノズルより注出可能とした液体噴出器であって、
前記押し下げヘッドは、押圧部から下方に延びる周壁を有し、前記装着筒に対して中心軸線周りに回動可能であり、
前記周壁及び前記装着筒の一方は、上下方向に延びるガイドリブを有し、
前記周壁及び前記装着筒の他方は、上下方向に延びるガイド溝を有し、
前記押し下げヘッドを、前記装着筒に対して所定の周方向位置に位置決めしたとき、前記ガイドリブが前記ガイド溝内を案内されることによって、前記押し下げヘッドは押し下げ可能であり、
前記所定の周方向位置に位置決めされた前記押し下げヘッドを、上方に所定距離持ち上げることで前記ガイドリブが前記ガイド溝から開放され、前記押し下げヘッドが押し下げ不能な周方向位置へと回転移動可能になることを特徴とする。
【０００７】
本開示の液体噴出器は、上記構成において、前記装着筒は、前記側壁を径方向外側から囲み、前記側壁の下端部に連結されたガイド筒を更に備え、前記ガイド溝又は前記ガイドリブは、前記ガイド筒に設けられていることが好ましい。
【発明の効果】
【０００８】
本開示によれば、別部材のストッパを設けることなく押し下げヘッドの上下動を規制することが可能な液体噴出器を提供することが可能となる。
【図面の簡単な説明】
【０００９】
【図１】本開示の一実施形態に係る液体噴出器を容器体に装着し、押し下げヘッドを押し下げ可能とした状態を示す側面断面図である。
【図２】図１における液体噴出器部分の拡大断面図である。
【図３】図２のＡ−Ａ断面による断面図である。
【図４】本開示の一実施形態に係る液体噴出器（押し下げ可能状態）のノズル側から見た正面図である。
【図５】本開示の一実施形態に係る液体噴出器を容器体に装着し、押し下げヘッドを押し下げ不能とした状態を示す側面断面図（拡大断面図）である。
【図６】図５のＢ−Ｂ断面による断面図である。
【図７】本開示の一実施形態に係る液体噴出器（押し下げ不能状態）のノズル側から見た正面図である。
【発明を実施するための形態】
【００１０】
以下、本開示の実施の形態を図面に基づいて詳細に例示説明する。図１に示すように、本実施形態に係る液体噴出器１は、容器体２の口部３外周に取り付けた装着筒４により容器体２内に下端を垂下させた状態でシリンダ５を保持するとともに、装着筒４の上端中央の開口６より上方付勢状態で上下移動可能に突出させたステム７の上端部にノズル８付き押し下げヘッド９を設けている。液体噴出器１は、押し下げヘッド９の押圧、復帰動作により容器体２内の内容液を吸い上げてノズル８より注出することができる。
【００１１】
なお、本明細書及び特許請求の範囲においては、上下方向は、図１に示すように容器体２を正立姿勢とした状態における上方、下方を意味するものとする。また、径方向内側とは、図１における液体噴出器１の中心軸線Ｏを通り中心軸線Ｏに垂直な直線に沿って内側（中心軸線Ｏ側）に向かう方向を意味し、径方向外側とは、中心軸線Ｏを通り中心軸線Ｏに垂直な直線に沿って外側（中心軸線Ｏから離れる方向）に向かう方向を意味するものとする。また、前後方向は、ノズル８から内容物が噴出される方向（図１の左方向）を前方とし、その反対方向を後方とする。後述の説明においては、固定された容器体２に対して押し下げヘッド９を中心軸線Ｏ周りに回転させることで、押し下げヘッド９を押し下げ可能な状態と押し下げ不能な状態とを切り替える旨の説明を行っているが、図面は全て押し下げヘッド９を基準に描かれていることに留意されたい。また、液体噴出器１の左右方向は、図１における紙面に垂直な方向である。
【００１２】
装着筒４は、中央に開口６が形成された天壁１１と、天壁１１から垂下する（本形態では、天壁１１の外周縁から垂下する）側壁１２と、側壁１２を径方向外側から囲み、側壁１２の下端部に連結部５１を介して一体に設けられたガイド筒５０とを備えている。また、側壁１２の内周面には、口部３の外周面に設けられた雄ねじ部に螺合する雌ねじ部１３が設けられている。
【００１３】
シリンダ５は、上下端が開口する筒状であり、図２に示すように、外周面の上部には径方向外側に突出するフランジ１４が設けられ、また、フランジ１４より下方の周壁に外気導入孔５ａが形成されている。フランジ１４の下面には、口部３の上端に当接するパッキンが設けられ、前記フランジ１４及びパッキンが装着筒４の天壁１１と口部３の上端とにより挟持されている。また、図１に示すように、シリンダ５の下端部は、縮径して嵌合筒部１６が設けられ、該嵌合筒部１６内に上端を嵌着させたパイプ１５が容器体２内下端部に垂下する。また、シリンダ５内下端部には吸い込み弁１７を設けている。
【００１４】
リングキャップ１０は、ステム７を貫通させる案内筒１８を回転防止用の縦リブ１９を介してシリンダ５上端内周に回転不能に嵌合させるとともに、案内筒１８の上下方向中央から外周側に延びるフランジ１８ａに嵌合筒２０を垂設し、該嵌合筒２０内周をシリンダ５の上端外周に凹凸係合手段を介して抜け出し不能に嵌合させて構成している。また、フランジ１８ａの外周端から外周筒２０ａが垂下しており、装着筒４が上方に抜け出すのを抑制している。すなわち装着筒４は、シリンダ５のフランジ１４と、リングキャップ１０の外周筒２０ａとによって上下方向の移動を制限され、シリンダ５に対して回動可能に装着されている。本実施形態において凹凸係合手段は、シリンダ５の上端部外周面に上下２段に設けられた突条２１と、それに対応する嵌合筒２０内周面に形成された上下２段の溝部で構成される。
【００１５】
押し下げヘッド９は、頂壁２２（押圧部）の中央から垂下しステム７の上端に嵌着する縦筒２３と、ステム７を径方向外側から囲み頂壁２２（押圧部）から下方に延びる周壁６０と、縦筒２３に連通するノズル８とを有する。本実施形態では、図２及び図３に示すように、周壁６０の外周面の周方向１箇所において径方向外側に突出し上下方向に延びるガイドリブ６０ａが設けられている。なお、前記ガイドリブ６０ａは、ノズル８の下方においてノズル８の下面から周壁６０の下端縁まで延びるように設けられているが、ガイドリブ６０ａの周方向位置、長さ及びその数は適宜変更可能である。例えば、ガイドリブ６０ａの下端部は、周壁６０の下端より更に下方に突出してもよいし、周壁６０の下端より上方までとしてもよい。また、ガイドリブ６０ａの数は、周方向に等間隔で３つ以上設けることで、図５に示すガイド筒５０の上端部に周壁６０のガイドリブ６０ａを当接させるときに、周壁６０の姿勢を安定化させることができる。
【００１６】
一方、装着筒４に設けられたガイド筒５０の内周面には、図２及び図３に示すように、周方向の１箇所において径方向外側に凹み上下方向に延びるガイド溝５０ａが設けられている。前記ガイド溝５０ａは前記ガイドリブ６０ａと対応するように設けるとよい。図２及び図３に示す押し下げヘッド９の押し下げ可能状態において、周壁６０の下端部がガイド筒５０の内周面に入り込み（周壁６０の下端縁が、ガイド筒５０の上端縁よりも下方に位置し）、更に周壁６０側のガイドリブ６０ａがガイド筒５０側のガイド溝５０ａ内に入り込んで案内されている。これにより、押し下げヘッド９の装着筒４に対する周方向の回転が規制されている。
【００１７】
ステム７は、上下端が開口した上筒部２６と、上筒部２６の下端に設けられ、径方向内側に突出する環状突部２８と、環状突部２８から垂下する下筒部２９と、下筒部２９の下端部から外周側にテーパ状に延びるスカート部を介して垂設した案内筒壁部３０とを有する。
【００１８】
ステム７の案内筒壁部３０近傍には、ピストン部材３１を設けている。具体的には、ピストン部材３１は、ステム７の案内筒壁部３０の内周に液密に、且つ摺動可能に当接する筒状のシール筒３２と、シール筒３２の下端から外周側に延設したフランジの外周縁に連設した上方及び下方に向けて拡径するスカート状のピストン３３と、シール筒３２の下端に垂設した環状突起３４とからなる。ピストン３３は、シリンダ５に摺動可能に嵌合している。
【００１９】
ステム７の下部には、ピストンガイド３５を嵌着させている。ピストンガイド３５は、ステム７の下筒部２９に嵌合する筒状の本体部３５ａと、本体部３５ａの下端部から径方向外側に延びる底壁部３７と、底壁部３７の外周縁に垂設した外筒部３８とを有する。外筒部３８の上端外周には、外筒部３８外周とシリンダ５内周との間に隙間を形成するための複数の突起３９を周方向に間隔を空けて設けている。また、底壁部３７の上面は、ピストン部材３１の環状突起３４の下端に当接可能に構成されている。
【００２０】
ピストンガイド３５と吸い込み弁１７との間には、コイルスプリング４０を配置している。コイルスプリング４０の上端は、外筒部３８の内周側で、底壁部３７の下面に当接し、ステム７を上方に付勢している。
【００２１】
ステム７とリングキャップ１０との間には、押し下げヘッド９を押し下げた状態にあるときに、外気導入孔５ａを閉塞する閉塞筒部材４１を設けている。閉塞筒部材４１は、シリンダ５上部に摺動可能に嵌合させて外気導入孔５ａを閉塞可能な摺動閉塞部４２と、該摺動閉塞部４２を下部（本例では下端）外周より周突設する基筒部４３とからなる。閉塞筒部材４１は、押し下げヘッド９が最下降状態に移行する際に、押し下げヘッド９の縦筒２３に設けた下向き段部４４により押し下げられて外気導入孔５ａを閉塞する。
【００２２】
上述の構成を有する液体噴出器１を用いて容器体２内の内容物を用いるには、利用者が図１〜図３に示す押し下げ可能状態から、押し下げヘッド９の頂壁２２（押圧部）を下方に押圧して押し下げる。すると、周壁６０の外周面が、ガイド筒５０の内周面によって案内され、ガイド筒５０に沿って下方に移動する。このとき、ガイドリブ６０ａについても、ガイド溝５０ａ内を案内されてガイド溝５０ａに沿って下方に移動する。これによって、後述するステム７が押し下げヘッド９によって押し下げられ、シリンダ５内に蓄積された内容物がステム７の内側を通って上方に圧送されるので、容器体２内の内容物をノズル８から噴出させることができる。
【００２３】
ガイドリブ６０ａとガイド溝５０ａの周方向位置が一致することによって押し下げヘッド９が押し下げ可能位置にあるか否かは、図４に示す位置合わせマーク６２及び５２の周方向位置が合致しているか否かにより判断することができる。周壁６０の外周面には、ガイドリブ６０ａの周方向位置と同じ周方向位置に位置合わせマーク６２が設けられている。また、ガイド筒５０の外周面には、ガイド溝５０ａの周方向位置と同じ周方向位置に位置合わせマーク５２が設けられている。従って、利用者は、図４に示すように位置合わせマーク６２及び５２が同じ周方向位置にあると確認することによって、液体噴出器１が押し下げ可能状態にあることを外観により確認することができる。
【００２４】
次に、内容物の利用が終了すると、利用者は、内容物の意図しない噴出を防止するために、図５〜図７に示すように押し下げヘッド９を周方向に移動させ、押し下げヘッド９を押し下げ不能な状態とする。次に、押し下げヘッド９の周方向への移動方法について説明する。
【００２５】
図２に示すように、押し下げヘッド９を押し下げ可能であるが未だ押し下げていない状態、つまり押し下げヘッドの初期位置において、閉塞筒部材４１は、例えばピストン３３により摺動閉塞部４２が押し上げられ上死点に位置し、閉塞筒部材４１とステム７の案内筒壁部３０との間に上下方向において所定距離の隙間Ｇが設けられている。そして、図２の状態からこの隙間Ｇだけ押し下げヘッド９を持ち上げることで周壁６０のガイドリブ６０ａの下端がガイド筒５０のガイド溝５０ａより上方まで引き上げることができる。これにより、周壁６０のガイドリブ６０ａの周方向位置はもはやガイド筒５０のガイド溝５０ａにより拘束されない。従って、利用者は、押し下げヘッド９を隙間Ｇだけ持ち上げた後に周方向に回動させることができる。
【００２６】
図５及び図６は、図２及び図３の状態から押し下げヘッド９を隙間Ｇだけ持ち上げた後、周方向に所定角度だけ回動させた状態を示している。図６に示すように、ガイドリブ６０ａとガイド溝５０ａの周方向位置が全く重ならない位置まで押し下げヘッド９を回動させているため、ガイドリブ６０ａの下端面がガイド溝５０ａの無いガイド筒５０の上端面に当接し、押し下げヘッド９は下方に押し下げることができない。従って、図５及び図６に示す状態にしておくことで、利用者が意図せず押し下げヘッド９を押し下げて内容物をノズル８から噴出させてしまうのを防止することができる。
【００２７】
液体噴出器１が図５及び図６に示す状態にあるときは、ガイドリブ６０ａとガイド溝５０ａの周方向位置が所定角度だけ離れているため、位置合わせマーク６２及び５２の周方向位置についても図７に示すように所定角度だけ離れることになる。利用者は、位置合わせマーク６２及び５２を視認することによって、液体噴出器１の押し下げヘッド９が押し下げ不能な状態にあることを認識することができる。
【００２８】
そして、再度押し下げヘッド９を押し下げて内容物を利用する際は、利用者は図７の状態から位置合わせマーク６２及び５２の周方向位置が一致するように押し下げヘッド９をガイド筒５０に対して相対回転させる。これによって、ガイドリブ６０ａがガイド溝５０ａに沿って移動可能となるので、再び押し下げヘッド９を押し下げて内容物を噴出させることができる。
【００２９】
以上述べたように、本実施形態は、中央に開口を有する天壁１１、及び天壁１１から垂下する側壁１２を備え、容器体２の口部３に装着される装着筒４と、装着筒４の天壁１１に形成された開口６より上方付勢状態で上下移動可能に突出するステム７と、ステム７の上端に固定された押し下げヘッド９とを備え、押し下げヘッド９の押圧、復帰動作により容器体２の内容液を吸い上げて押し下げヘッド９に設けられたノズル８より注出可能とした液体噴出器１であって、押し下げヘッド９は、押圧部（頂壁２２）から下方に延びる周壁６０を有し、装着筒４に対して中心軸線Ｏ周りに回動可能であり、周壁６０は上下方向に延びるガイドリブ６０ａを有し、装着筒４は上下方向に延びるガイド溝５０ａを有し、押し下げヘッド９を、装着筒４に対して所定の周方向位置に位置決めしたとき、ガイドリブ６０ａがガイド溝５０ａ内を案内されることによって、押し下げヘッド９は押し下げ可能となり、所定の周方向位置に位置決めされた押し下げヘッド９を、上方に所定距離（隙間Ｇ）持ち上げることでガイドリブ６０ａがガイド溝５０ａから開放され、押し下げヘッド９を押し下げ不能な周方向位置へと回転移動可能になるように構成した。このような構成の採用によって、押し下げヘッド９を装着筒４に対して相対回転させることで押し下げヘッド９の押し下げ可能状態と押し下げ不能状態とを切り替えることができるので、別部材のストッパを設けることなく未使用時に押し下げヘッドの上下動を規制することが可能となる。
【００３０】
本開示を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００３１】
例えば、内容液を吸い上げるシリンダ内部のポンプ機構は他の既知の構造を採用してもよい。
【００３２】
また、本実施形態では、装着筒４がガイド筒５０を備えるように構成したが、この態様には限定されず、装着筒４にガイド筒５０を設けなくてもよい。装着筒４にガイド筒５０を設けない場合、例えば、側壁１２の外周面にガイド溝又はガイドリブを設け、周壁６０の内周面に設けたガイドリブ又はガイド溝が案内されるように構成してもよい。
【００３３】
また、本実施形態では、押し下げヘッド９の周壁６０にガイドリブ６０ａを設け、装着筒４のガイド筒５０にガイド溝５０ａを設けるように構成したが、この態様には限定されない。押し下げヘッド９の周壁６０にガイド溝を設け、装着筒４のガイド筒５０にガイドリブを設けるように構成してもよい。
【００３４】
また、本実施形態では、押し下げヘッド９の周壁６０が装着筒４のガイド筒５０の内周面に沿って案内されるように構成したが、この態様には限定されない。ガイド筒５０が周壁６０の内周面に沿って案内されるように構成してもよい。この場合、例えば周壁６０の内周面にガイド溝又はガイドリブを設けるとともに、ガイド筒５０の外周面にガイドリブ又はガイド溝を設けるようにしてもよい。また、押し下げヘッド９の周壁６０が装着筒４のガイド筒５０により案内されなくともよい。
【符号の説明】
【００３５】
１      液体噴出器
２      容器体
３      口部
４      装着筒
５      シリンダ
５ａ    外気導入孔
６      開口
７      ステム
８      ノズル
９      押し下げヘッド
１０    リングキャップ
１１    天壁
１２    側壁
１３    雌ねじ部
１４    フランジ
１５    パイプ
１６    嵌合筒部
１７    吸い込み弁
１８    案内筒
１８ａ  フランジ
１９    縦リブ
２０    嵌合筒
２０ａ  外周筒
２１    突条
２２    頂壁（押圧部）
２３    縦筒
２６    上筒部
２８    環状突部
２９    下筒部
３０    案内筒壁部
３１    ピストン部材
３２    シール筒
３３    ピストン
３４    環状突起
３５    ピストンガイド
３５ａ  本体部
３７    底壁部
３８    外筒部
３９    突起
４０    コイルスプリング
４１    閉塞筒部材
４２    摺動閉塞部
４３    基筒部
４４    下向き段部
５０    ガイド筒
５０ａ  ガイド溝
５１    連結部
５２    位置合わせマーク
６０    周壁
６０ａ  ガイドリブ
６２    位置合わせマーク
Ｇ      隙間（所定距離）
Ｏ      中心軸線
【図１】
2020121802.tif 000003
【図２】
2020121802.tif 000004
【図３】
2020121802.tif 000005
【図４】
2020121802.tif 000006
【図５】
2020121802.tif 000007
【図６】
2020121802.tif 000008
【図７】
2020121802.tif 000009